(57)【要約】【課題】  従来の携帯端末は、閲覧中のページのＵＲＬをメールで送信するには、キーを何度も押下するという煩雑な操作をしなければならず、たいへん不便であるという問題点があったが、本発明は、簡単な操作で閲覧中のＵＲＬを送信でき、利便性を向上させる携帯端末を提供する。【解決手段】  制御部７が、Ｗｅｂページが表示されている状態で（１）、当該ＷｅｂページのＵＲＬをメールに貼付する指示が入力されると（２）、送信メールの作成画面を表示し、前記送信メール中にＷｅｂページのＵＲＬを貼付け（３）、メール送信の指示が入力されると当該メールの送信を行う（４）携帯端末である。【選択図】        図３
2006073015.tif 000002
【特許請求の範囲】
【請求項１】
送受信アンテナを介して送られてくる音声信号又は音声信号以外の信号を受信し、入力された音声信号又は音声信号以外の信号を送受信アンテナより電波として送信する無線部と、
数字キーや機能一覧を表示させるための機能キー等の操作キーを備える入力部と、
入力されたデータを表示する表示部と、
携帯端末の制御を行う制御部とを有し、
インターネットに接続してＷｅｂページの閲覧、メールの作成及び送受信を行う携帯端末であって、
前記制御部が、Ｗｅｂページが前記表示部に表示されている状態で、前記機能キーが押下され、ＷｅｂページのＵＲＬをメールに貼付する機能が選択されると、前記表示部にメールの作成画面を表示し、前記表示されていたＷｅｂページのＵＲＬを当該メールの本文に貼り付け、前記入力部からメール送信の指示が入力されると、指定された宛先に当該メールを送信する処理を行うことを特徴とする携帯端末。
【発明の詳細な説明】
【技術分野】
【０００１】
本発明は、インターネットのＷｅｂページの閲覧や、メールの送受信が可能な携帯端末に係り、特に閲覧中のＷｅｂページのＵＲＬを手軽にメールで送信でき、利便性を向上させることができる携帯端末に関するものである。
【背景技術】
【０００２】
従来、インターネットのＷｅｂページをいつでも閲覧でき、またＥ−ｍａｉｌやショートメール等の各種メールサービス（以後、メールとする）を利用可能な無線携帯端末（携帯端末）が、便利なものとして広く実用に供されている。
【０００３】
この種の携帯端末では、他人にメールで現在閲覧中インターネットのＷｅｂページのアドレス（以後、ＵＲＬとする）を添付して送信することが可能である。しかしマウス等のポインティングデバイスを保有するパソコンとは違い、携帯端末は限られた数個のキーしか保有しないため、ユーザは煩雑な操作を行わなければならない。
【０００４】
ここで、閲覧中のＷｅｂページのＵＲＬを添付したメールを送信する際のユーザの操作について説明する。図５は、従来の携帯端末において、閲覧中のＷｅｂページのＵＲＬをメールに貼り付ける際のユーザの操作を示すフローチャート図である。
【０００５】
図５に示すように、ユーザは、まずＷｅｂページ閲覧中に実行可能な機能（例えばｂｏｏｋｍａｒｋの登録や現在表示中のＷｅｂページのＵＲＬの閲覧、画面メモの保存等）を選択する為のキー（以後、機能キーとする）を押下する（Ｓ１１）。
【０００６】
そして、ユーザは、機能メニューの中から「ＵＲＬの表示」機能を選択する（Ｓ１２）。次にＵＲＬのコピー操作を行う（Ｓ１３）。このコピー操作については後で図６を用いて説明する。
【０００７】
次に、ユーザは、メールの作成画面に移行する指示を入力し（Ｓ１４）、メール作成画面上にＳ３でコピーしたＵＲＬをメールの本文に貼り付ける（Ｓ１５）。このようにしてＵＲＬのメール貼付操作が行われるものである。
【０００８】
次に、図５のＳ３に示したコピー操作について図６を用いて具体的に説明する。図６は、図５のＳ３に示したコピー操作を具体的に示すフローチャート図である。
図６に示すように、ユーザは、まず機能キーを押下する（Ｓ２１）。そして、「コピー」機能を選択し、押下する（Ｓ２２）。
【０００９】
そして、ユーザはカーソルをコピー開始点に合せ（Ｓ２３）、機能キーを押下し（Ｓ２４）、現カーソル位置をコピー開始点とする機能を選択する（Ｓ２５）。同様に、カーソルをコピー終了点に合せ（Ｓ２６）、機能キーを押下し（Ｓ２７）、現カーソル位置をコピー終了点とする機能を選択する（Ｓ２８）。そして、コピー操作を終了する。このようにしてコピー操作が行われるものである。
【００１０】
尚、携帯端末を用いた従来技術としては、平成１２年９月８日公開の特開２０００−２４４９７１号「携帯情報端末を用いた速報伝送システム」（出願人：株式会社サンスイ、発明者：友添成隆）がある。この従来技術は、広域ネットワークにおけるクライアント機からの要求に応答して、クライアント機に登録用入力フォームを提供する速報登録手段と、速報登録手段による登録データを記憶し管理するデータベース管理手段と、速報内容を電子メールに含めて携帯情報端末の宛先アドレスに向けて送信する電子メール管理手段と、電子メール管理手段に指示して速報を伝送させる速報伝送制御手段とを有する速報伝送システムであり、これにより、速報性の高い情報を広域ネットワークを通して、クライアントによって指定された任意の時間に、素早く、簡便に且つ低コストで、携帯端末に伝送できるものである。
【００１１】
【特許文献１】特開２０００−２４４９７１号
【発明の開示】
【発明が解決しようとする課題】
【００１２】
しかしながら、従来の携帯端末では、閲覧中のＷｅｂページのＵＲＬをメールで送信するには、ユーザは小さなキーを何度も押下する必要があり、煩雑な操作をしなければならず、たいへん不便であるという問題点があった。
【００１３】
本発明は上記実情に鑑みて為されたもので、簡単な操作で閲覧中のＷｅｂページのＵＲＬを送信でき、利便性を向上させることができる携帯端末を提供することを目的とする。
【課題を解決するための手段】
【００１４】
上記従来例の問題点を解決するための本発明は、送受信アンテナを介して送られてくる音声信号又は音声信号以外の信号を受信し、入力された音声信号又は音声信号以外の信号を送受信アンテナより電波として送信する無線部と、数字キーや機能一覧を表示させるための機能キー等の操作キーを備える入力部と、入力されたデータを表示する表示部と、携帯端末の制御を行う制御部とを有し、インターネットに接続してＷｅｂページの閲覧、メールの作成及び送受信を行う携帯端末であって、制御部が、Ｗｅｂページが表示部に表示されている状態で、機能キーが押下され、ＷｅｂページのＵＲＬをメールに貼付する機能が選択されると、表示部にメールの作成画面を表示し、表示されていたＷｅｂページのＵＲＬを当該メールの本文に貼り付け、入力部からメール送信の指示が入力されると、指定された宛先に当該メールを送信する処理を行うことを特徴としている。
【発明の効果】
【００１５】
本発明によれば、制御部が、Ｗｅｂページが表示されている状態で当該ＷｅｂページのＵＲＬをメールに貼付する機能が選択されると、送信メールの作成画面を表示し、送信メール中に当該ＷｅｂページのＵＲＬを貼り付け、入力部からのメール送信の指示が入力されると、当該メールを送信する処理を行う携帯端末としているので、簡単な操作で閲覧中のＷｅｂページのＵＲＬをメールで送信することができ、利便性を向上させることができる効果がある。
【発明を実施するための最良の形態】
【００１６】
本発明の実施の形態について図面を参照しながら説明する。
本発明の実施の形態に係る携帯端末は、制御部が、閲覧中のＷｅｂページのＵＲＬをメールを用いてお知らせする指示が入力されると、新規メール作成画面を表示して、閲覧中のＷｅｂページのＵＲＬを送信メール中に貼り付けるようにしており、ユーザは、簡単な操作で閲覧中のＷｅｂページのＵＲＬをメールに貼り付けて送信することができ、利便性を向上させることができるものである。
【００１７】
図１は、本発明の実施の形態に係る携帯端末の構成ブロック図である。
本発明の実施の形態に係る携帯端末（本装置）は、図１に示すように、送受信アンテナ１と、送受信アンテナ１に接続された無線部２と、音声ＣＯＤＥＣ３と、マイク４と、スピーカ５と、入力部６と、制御部７と、ＲＯＭ８と、ＲＡＭ９と、表示部１０とから構成されている。
【００１８】
送受信アンテナ１を備える無線部２は、制御部７の制御の下に、送受信アンテナ１を介して送られてくる受信電気信号に検波等の処理を加えてディジタル音声信号又は音声以外のディジタル信号を得て、ディジタル音声信号を音声ＣＯＤＥＣ３に出力すると共に、音声以外のディジタル信号を制御部７に出力するものである。
【００１９】
また、無線部２は、音声ＣＯＤＥＣ３から入力された送信用のディジタル音声信号と制御部７から入力された送信用の音声以外のディジタル信号を取り込み、これで特定周波数信号を変調し、得られた変調波を送受信アンテナ１より電波として送出するものである。
【００２０】
音声ＣＯＤＥＣ３は、通常の通話を行なう通常モードでは、無線部２から入力されたディジタル音声信号をスピーカ５に出力すると共に、マイク４から入力された送信用のディジタル音声信号を無線部２に送出する回路部である。
【００２１】
マイク４は、送話音声を受けてこれをディジタル音声電気信号に変換して上記音声ＣＯＤＥＣ３に送出する回路部である。また、スピーカ５は音声ＣＯＤＥＣ３から入力されるディジタル音声電気信号を得て、これを音声に変換するものである。
【００２２】
入力部６は、数字キーや機能キー等の操作キーを備え、キー押下等の入力があったときには、対応する入力信号を制御部７に出力するものである。
【００２３】
ＲＯＭ８は、この携帯端末の各種動作に係るプログラムを固定的に記録し、制御部７の制御の下に、記憶しているプログラムを、順次、制御部７に出力するものである。
【００２４】
また、ＲＡＭ９は、制御部７の制御の下に、制御部７又は制御部７を介して入力されたデータを記憶すると共に、記憶しているデータを制御部７に出力する回路部である。そして、ＲＡＭ９もしくは不揮発記憶素子（図示せず）には、ユーザが任意に書き込む電話帳やメールを記憶する記憶領域が設けられている。表示部１０は、制御部７から入力されたデータを表示する表示装置である。
【００２５】
制御部７は、携帯端末全体の制御を行うものであり、概ねＣＰＵから構成され、入力されたデータを処理加工して出力すると共に、接続する回路部に制御信号を送って、それらを制御する回路部である。
【００２６】
また、本装置の制御部７は、一般的なブラウザ機能やメール機能を備えており、これにより本装置は、インターネットのＷｅｂページの閲覧や、メールの作成及び送受信が可能となっている。
【００２７】
そして、本装置の特徴として、制御部７は、特定の指示が入力された場合に、メール作成画面を開いて、当該ＵＲＬを送信メール中に貼付するＵＲＬ貼り付け機能を備えたものである。
【００２８】
ＷｅｂページのＵＲＬをメールに貼付する場合のユーザの操作を図２を用いて説明する。図２は、本装置を用いて、閲覧中のＷｅｂページのＵＲＬをメールに貼付する際のユーザの操作を示すフローチャート図である。図２に示すように、Ｗｅｂページを閲覧中に、ユーザは、まず入力部６の機能キーを押下する（Ｓ１）。そして、表示された機能メニューの中から、「ＵＲＬのメールへの貼付」機能を選択する（Ｓ２）。
【００２９】
以上の２操作のみでメールにＵＲＬを貼り付けることが可能となり、従来非常に煩雑であったユーザの操作を大幅に簡略化できるものである。そして、この後ユーザは通常のメール送信と同様の操作によって宛先を指定してＵＲＬの貼り付けられたメールを送信するようになっている。
【００３０】
次に、本装置を用いて閲覧中のＷｅｂページのＵＲＬをメールに貼付する場合の動作を表示部１０における表示例とユーザの操作とを交えて図３を用いて具体的に説明する。図３は、閲覧中のＷｅｂページのＵＲＬを送信メールに貼り付ける際の画面遷移図である。
図３では、「○○電気」のＷｅｂページを閲覧している場合に、当該ページのＵＲＬを送信メールの本文に貼り付ける場合の操作と表示画面例を示している。閲覧中のＷｅｂページのＵＲＬは、http://www.○○denki.co.jpであるとする。
【００３１】
図３に示すように、Ｗｅｂページが表示されている状態で、ユーザが機能キーを押下すると（１）、表示部１０は、ポップアップ画面で利用可能な機能の一覧（機能メニュー）を表示する。機能としては、１．「ｂｏｏｋｍａｒｋ登録」、２．「ｂｏｏｋｍａｒｋを見る」、３．「画面メモ」、４．「ＵＲＬの参照」、５．「ＵＲＬのメール貼付」、６．「終了」があり、ユーザは５．「ＵＲＬのメール貼付」を選択する（２）。
【００３２】
ユーザが「ＵＲＬのメール貼付」を選択すると、表示部１０の画面はＷｅｂページ閲覧画面からメール作成画面に移行する。メール作成画面は、通常の新規メール作成時と同様に、「宛先」及び「件名」の入力エリアがあり、更に本装置の特徴として、メールの本文を書込むエリアに先ほど閲覧中であったＷｅｂページのＵＲＬ（http://www.○○denki.co.jp）が貼り付けられた状態になっている（３）。
【００３３】
従ってユーザは貼り付けられたＵＲＬの前後に任意にメッセージを入力して、通常通りに宛先及び件名を入力すれば簡単にＵＲＬをお知らせするメールが作成できるものである。そしてメール作成が完了すると、ユーザはメール送信の指示を入力する。
【００３４】
メールの送信が完了すると、表示部１０は「メールの送信を完了しました」のメッセージを表示し（４）、メール作成画面に移行するまで表示していたＷｅｂページの表示に戻る（５）。自動的に元のＷｅｂページ画面に戻ることにより、画面切替の操作が不要となるものである。このようにして本装置におけるＵＲＬのメール貼り付けが行われるものである。
【００３５】
但し、ＵＲＬ貼付機能を起動するための「ＵＲＬのメール貼付」は、必ずしもポップアップメニューに設けなくても構わない。すなわち、ここでは、機能キーのポップアップメニューの中から「ＵＲＬのメール貼付」が選択されると、制御部７内のＵＲＬ貼付機能が起動されるようになっているが、「ＵＲＬのメール貼付」の入力は、ポップアップメニューに設けずに、例えば専用のキーを設けてもよいし、特定のキーの組合わせとして割り付けても構わない。
【００３６】
次に、上記動作を実現する制御部７の処理について図４を用いて説明する。図４は、Ｗｅｂページ閲覧中にポップアップメニューの中から「ＵＲＬのメール貼付」が選択された場合の制御部７の処理を表すフローチャート図である。
Ｗｅｂページ閲覧中には、制御部７は、当該ページのＵＲＬ及び表示内容を保持している。そして、図３に示したように、機能キーが押下されて表示されるポップアップメニューの中から「ＵＲＬのメール貼付」が選択されると、制御部７は、保持しているＵＲＬをメールに貼り付ける指示であることを認識し、新規メール作成画面を表示して（１００）、保持していたＵＲＬをメール本文中に貼り付ける（１０２）。
【００３７】
そして、制御部７は、入力部６からの指示に従って、入力されたメッセージ及び件名を含むメールを、入力又は指定された宛先に送信する通常のメール送信処理を行う（１０４）。
【００３８】
そして、制御部７は、メールの送信が完了したかどうかを判断し（１０６）、完了した場合には、メール送信完了を示すメッセージ「メールの送信が完了しました」を表示部１０に出力する（１０８）。
【００３９】
そして、制御部７は、メール作成画面を閉じ、閲覧中だったＷｅｂページの表示に移行して（１１０）、処理を終了する。このようにして本装置の制御部７の処理が行われるものである。
【００４０】
本発明の実施の形態に係る携帯端末（本装置）によれば、Ｗｅｂページの閲覧中に、入力部６の機能キーが押下されて「ＵＲＬのメール貼付」の機能が選択されると、制御部７が、新規メール作成画面を表示し、送信メール本文中に当該ＷｅｂページのＵＲＬを貼り付ける携帯端末としているので、ユーザは、小さなキーを何度も押下する煩雑な操作を行うこと無く、簡単な操作でＵＲＬをメール中に貼り付けることができ、利便性を向上させることができる効果がある。
【００４１】
また、本装置によれば、ＵＲＬを貼り付けたメールの送信が完了すると、制御部７が、メール作成画面を終了し、閲覧中だったＷｅｂページ画面を表示部１０に出力する携帯端末としているので、画面切替の操作を不要とし、利便性を向上させることができる効果がある。
【産業上の利用可能性】
【００４２】
本発明は、閲覧中のＷｅｂページのＵＲＬを手軽にメールで送信でき、利便性を向上させることができる携帯端末に適している。
【図面の簡単な説明】
【００４３】
【図１】本発明の実施の形態に係る携帯端末（本装置）の構成ブロック図である。
【図２】本装置を用いて、閲覧中のＷｅｂページのＵＲＬをメールに貼付する際のユーザの操作を示すフローチャート図である。
【図３】閲覧中のＷｅｂページのＵＲＬを送信メールに貼り付ける際の画面遷移図である。
【図４】Ｗｅｂページ閲覧中にポップアップメニューの中から「ＵＲＬのメール貼付」が選択された場合の制御部７の処理を表すフローチャート図である。
【図５】従来の携帯端末において、閲覧中のＷｅｂページのＵＲＬをメールに貼り付ける際のユーザの操作を示すフローチャート図である。
【図６】図５のＳ１３に示したコピー操作を具体的に示すフローチャート図である。
【符号の説明】
【００４４】
１…送受信アンテナ、  ２…無線部、  ３…音声ＣＯＤＥＣ、  ４…マイク、  ５…スピーカ、  ６…入力部、  ７…制御部、  ８…ＲＯＭ、  ９…ＲＡＭ、  １０…表示部
【図１】
2006073015.tif 000003
【図２】
2006073015.tif 000004
【図３】
2006073015.tif 000005
【図４】
2006073015.tif 000006
【図５】
2006073015.tif 000007
【図６】
2006073015.tif 000008